(57)【特許請求の範囲】
【請求項１】
ロール状に巻かれたベルトが載置されるベース部と、
前記ベース部に装着され、ロール状に巻かれた前記ベルトを回転させる回転部と、
前記回転部を通過した前記ベルトを把持して移動させる移動部と、
前記移動部を介して排出される前記ベルトをガイドする案内部と、
前記案内部から落下する前記ベルトが積載される積載部とを含み、
前記案内部は、
前記移動部の後方に配置される案内フレーム部と、
前記案内フレーム部に回転可能に装着され、前記移動部から排出される前記ベルトと接触する案内ローラ部と、
前記案内フレーム部を支持する案内支持部とを含み、
前記案内支持部は、それ自体の長さが可変して、前記案内フレーム部の高さを調節することを特徴とするベルト巻出し装置。
【請求項２】
ロール状に巻かれたベルトが載置されるベース部と、
前記ベース部に装着され、ロール状に巻かれた前記ベルトを回転させる回転部と、
前記回転部を通過した前記ベルトを把持して移動させる移動部と、
前記移動部を介して排出される前記ベルトをガイドする案内部と、
前記案内部から落下する前記ベルトが積載される積載部とを含み、
前記積載部は、前記案内部から落下する前記ベルトが積載される空間を形成する積載フレーム部と、
前記積載フレーム部に沿って移動し、前記ベルトの落下地点を調節して、前記ベルトが重ねられて積載されるように誘導する積載ガイド部とを含み、
前記積載ガイド部は、前記ベルトの積載高さに対応して高さが調節されることを特徴とするベルト巻出し装置。
【請求項３】
前記積載ガイド部は、前記ベルトが通過する一対のガイドローラを含み、
一対の前記ガイドローラは、前記積載フレーム部に沿って移動しながら、前記ベルトの落下地点を調節することを特徴とする請求項２に記載のベルト巻出し装置。
【請求項４】
前記ベース部は、固定物に設けられる固定フレーム部と、
前記固定フレーム部に結合され、ロール状に巻かれた前記ベルトの中央部を貫通するロールバーを支持する支持フレーム部とを含むことを特徴とする請求項１〜３のいずれかに記載のベルト巻出し装置。
【請求項５】
前記支持フレーム部は、前記固定フレーム部に結合される支持台と、
前記ロールバーが据え置かれるように前記支持台に装着され、ロール状に巻かれた前記ベルトの外周部が前記回転部と接触するように前記ロールバーと前記回転部との間隔を調節する支え部とを含むことを特徴とする請求項４に記載のベルト巻出し装置。
【請求項６】
前記支え部は、前記支持台に昇降可能に装着され、前記ロールバーの高さを調節することを特徴とする請求項５に記載のベルト巻出し装置。
【請求項７】
前記回転部は、前記ベース部に回転可能に装着され、ロール状に巻かれた前記ベルトと接触する第１回転ローラ部と、
前記ベース部に回転可能に装着され、ロール状に巻かれた前記ベルトと接触し、前記第１回転ローラ部と離隔して配置される第２回転ローラ部と、
前記第１回転ローラ部に連結され、前記第１回転ローラ部に回転力を提供する回転動力部とを含むことを特徴とする請求項１〜３のいずれかに記載のベルト巻出し装置。
【請求項８】
前記回転部は、前記第１回転ローラ部および前記第２回転ローラ部に連結され、前記第１回転ローラ部の回転力を前記第２回転ローラ部に伝達する回転伝達部をさらに含むことを特徴とする請求項７に記載のベルト巻出し装置。
【請求項９】
前記移動部は、前記ベース部に回転可能に装着される下移動ローラ部と、
前記ベース部に装着され、上下移動する押下調節部と、
前記押下調節部に回転可能に装着され、前記下移動ローラ部の上方に配置され、前記押下調節部の上下移動によって前記下移動ローラ部との間隔が調節される上移動ローラ部と、
前記下移動ローラ部に連結され、前記下移動ローラ部に回転力を提供する移動動力部とを含むことを特徴とする請求項１〜３のいずれかに記載のベルト巻出し装置。
【発明の詳細な説明】
【技術分野】
【０００１】
本発明は、ベルト交換装置に関し、より詳細には、ベルトを迅速に布設しながら、作業性を改善するベルト交換装置に関する。
【背景技術】
【０００２】
一般的に、製鉄所のベルトコンベヤの整備作業中、ベルト部分の取替整備時、設備上に取替えるベルトを積むための事前作業として布設作業を実施する。
【０００３】
布設作業とは、クレーンを用いてベルトを上下に移動させながら、重ねられたベルトを取替長さだけ切り出す作業である。
【０００４】
本発明の背景技術は、大韓民国公開特許公報第２０１０−００３４８８１号（２０１０年４月２日公開、発明の名称：ベルトコンベヤのベルト交換装置）に開示されている。
【発明の概要】
【発明が解決しようとする課題】
【０００５】
本発明は、ベルトを迅速に布設しながら、作業性を改善するベルト交換装置を提供することを目的とする。
【課題を解決するための手段】
【０００６】
本発明に係るベルト交換装置は、ロール状に巻かれたベルトが載置されるベース部と、前記ベース部に装着され、ロール状に巻かれた前記ベルトを回転させる回転部と、前記回転部を通過した前記ベルトを把持して移動させる移動部と、前記移動部を介して排出される前記ベルトをガイドする案内部と、前記案内部から落下する前記ベルトが積載される積載部とを含むことを特徴とする。
【０００７】
前記ベース部は、固定物に設けられる固定フレーム部と、前記固定フレーム部に結合され、ロール状に巻かれた前記ベルトの中央部を貫通するロールバーを支持する支持フレーム部とを含むことを特徴とする。
【０００８】
前記支持フレーム部は、前記固定フレーム部に結合される支持台と、前記ロールバーが据え置かれるように前記支持台に装着され、ロール状に巻かれた前記ベルトの外周部が前記回転部と接触するように前記ロールバーと前記回転部との間隔を調節する支え部とを含むことを特徴とする。
【０００９】
前記支え部は、前記支持台に昇降可能に装着され、前記ロールバーの高さを調節することを特徴とする。
【００１０】
前記回転部は、前記ベース部に回転可能に装着され、ロール状に巻かれた前記ベルトと接触する第１回転ローラ部と、前記ベース部に回転可能に装着され、ロール状に巻かれた前記ベルトと接触し、前記第１回転ローラ部と離隔して配置される第２回転ローラ部と、前記第１回転ローラ部に連結され、前記第１回転ローラ部に回転力を提供する回転動力部とを含むことを特徴とする。
【００１１】
前記回転部は、前記第１回転ローラ部および前記第２回転ローラ部に連結され、前記第１回転ローラ部の回転力を前記第２回転ローラ部に伝達する回転伝達部をさらに含むことを特徴とする。
【００１２】
前記移動部は、前記ベース部に回転可能に装着される下移動ローラ部と、前記ベース部に装着され、上下移動する押下調節部と、前記押下調節部に回転可能に装着され、前記下移動ローラ部の上方に配置され、前記押下調節部の上下移動によって前記下移動ローラ部との間隔が調節される上移動ローラ部と、前記下移動ローラ部に連結され、前記下移動ローラ部に回転力を提供する移動動力部とを含むことを特徴とする。
【００１３】
前記案内部は、前記移動部の後方に配置される案内フレーム部と、前記案内フレーム部に回転可能に装着され、前記移動部から排出される前記ベルトと接触する案内ローラ部と、前記案内フレーム部を支持する案内支持部とを含むことを特徴とする。
【００１４】
前記案内支持部は、それ自体の長さが可変して、前記案内フレーム部の高さを調節することを特徴とする。
【００１５】
前記積載部は、前記案内部から落下する前記ベルトが積載される空間を形成する積載フレーム部と、前記積載フレーム部に沿って移動し、前記ベルトの落下地点を調節して、前記ベルトが重ねられて積載されるように誘導する積載ガイド部とを含むことを特徴とする。
【００１６】
前記積載ガイド部は、前記ベルトの積載高さに対応して高さが調節されることを特徴とする。
【００１７】
前記積載ガイド部は、前記ベルトが通過する一対のガイドローラを含み、一対の前記ガイドローラは、前記積載フレーム部に沿って移動しながら、前記ベルトの落下地点を調節することを特徴とする。
【発明の効果】
【００１８】
本発明に係るベルト交換装置は、クレーンなしにベルトを重ねるため、ロール状に巻かれたベルトの巻出し作業性が改善できる。
【００１９】
本発明に係るベルト交換装置は、支持フレーム部がロール状に巻かれたベルトの中央部を貫通するロールバーを支持し高さが調節され、ロール状に巻かれたベルトと回転部との持続的な接触が可能になる。
【００２０】
本発明に係るベルト交換装置は、回転部がロール状に巻かれたベルトを支持し、回転部の回転によってロール状に巻かれたベルトが回転することで、ベルトの巻出し速度が向上できる。
【００２１】
本発明に係るベルト交換装置は、移動部がベルトと密着した状態で、ベルトが案内部に移動するようにベルトを引っ張るため、巻取られたベルトの巻出しを誘導することができる。
【００２２】
本発明に係るベルト交換装置は、案内部の高さが調節されながら、積載部に落下するベルトの落下高さを調節することができる。
【００２３】
本発明に係るベルト交換装置は、積載部が重ねられるベルトを収容することで、重ねられたベルトの崩れを防止することができる。
【００２４】
本発明に係るベルト交換装置は、積載ガイド部が自動的に往復移動しながら、ベルトが重ねられるようにベルトの落下地点を調節することができる。
【図面の簡単な説明】
【００２５】
【図１】本発明の一実施形態に係るベルト交換装置を概略的に示す側面図である。
【図２】図１におけるベルトが巻出されてロール状に巻かれたベルトの外径が減少した状態を概略的に示す図である。
【図３】本発明の一実施形態に係るベルト交換装置におけるベース部を概略的に示す図である。
【図４】本発明の一実施形態に係るベルト交換装置における回転部を概略的に示す図である。
【図５】本発明の一実施形態に係るベルト交換装置における移動部を概略的に示す図である。
【図６】本発明の一実施形態に係る案内部を概略的に示す図である。
【図７】本発明の一実施形態に係るベルト交換装置における積載部を概略的に示す図である。
【図８】本発明の一実施形態に係るベルト交換装置における積載部にベルトが積載される状態を概略的に示す図である。
【発明を実施するための形態】
【００２６】
以下、添付した図面を参照して、本発明に係るベルト交換装置の実施形態を説明する。この過程において、図面に示された線の厚さや構成要素の大きさなどは、説明の明瞭性と便宜上、誇張されて示されていることがある。また、後述する用語は、本発明における機能を考慮して定義された用語であって、これは、使用者、運用者の意図または慣例によって異なることがある。そのため、このような用語に対する定義は、本明細書全般にわたる内容に基づいて行われなければならない。
【００２７】
図１は、本発明の一実施形態に係るベルト交換装置を概略的に示す側面図であり、図２は、図１におけるベルトが巻出されてロール状に巻かれたベルトの外径が減少した状態を概略的に示す図である。図１と図２を参照すれば、本発明の一実施形態に係るベルト交換装置１は、ベース部１０と、回転部２０と、移動部３０と、案内部４０と、積載部５０とを含む。
【００２８】
ベース部１０は、地面のような固定物に固定設置され、ロール状に巻かれたベルト９１が載置される。ロール状に巻かれたベルト９１は、ロール形状をするものの、中央部が開口した形状をし、ロール状に巻かれたベルト９１の中央部には、ベース部１０に載置されるロールバー９２が挿入されて軸方向に突出する。
【００２９】
回転部２０は、ベース部１０に装着され、ロール状に巻かれたベルト９１を回転させる。すなわち、回転部２０は、ロール状に巻かれたベルト９１と接触し、回転部２０の回転でロール状に巻かれたベルト９１が回転する。
【００３０】
移動部３０は、ベルト９１を把持し、自体の回転によってベルト９１を移動させ、巻取られたベルト９１が巻出される。移動部３０は、ベース部１０に装着される。その他、移動部３０は、ベース部１０に近接して配置されればよい。
【００３１】
案内部４０は、移動部３０を介して排出されるベルト９１を案内する。案内部４０は、ベース部１０に装着され、端部は積載部５０の上方に配置される。その他、案内部４０は、一端部が移動部３０に近接して配置されればよい。
【００３２】
積載部５０は、案内部４０の下方に位置し、案内部４０から落下するベルト９１が積載される。
【００３３】
図３は、本発明の一実施形態に係るベルト交換装置におけるベース部を概略的に示す図である。図１〜図３を参照すれば、本発明の一実施形態に係るベース部１０は、固定フレーム部１１と、支持フレーム部１２とを含む。
【００３４】
固定フレーム部１１は、固定物に固定設置される。本実施形態において、固定フレーム部１１は、ベースフレーム１１１と、垂直フレーム１１２とを含む。ベースフレーム１１１は、地面のような固定物に載置され、四角帯形状をする。垂直フレーム１１２は、ベースフレーム１１１の上側に結合されて上方に突出する。垂直フレーム１１２は、四角帯形状をし、上下長さ方向に向かい合う一対のフレームの内側には案内ホール部１１３が形成される。そして、垂直フレーム１１２の上端部をなすフレームには貫通ホール部１１４が形成される。その他、固定フレーム部１１は、下支持台１１５を含む。下支持台１１５は、垂直フレーム１１２の下部内側に固定設置される。本実施形態において、垂直フレーム１１２と下支持台１１５とは一体に形成される。
【００３５】
支持フレーム部１２は、固定フレーム部１１に結合され、ロール状に巻かれたベルト９１の中央部を貫通するロールバー９２を支持する。本発明の一実施形態に係る支持フレーム部１２は、支持台１３と、支え部１４とを含む。
【００３６】
支持台１３は、ベースフレーム１１１に結合されて上方に突出し、支持台１３の中央部に形成されるガイドホール部１２１にロールバー９２が挿入される。ガイドホール部１２１は、上下方向にロールバー９２を案内する。支え部１４は、ロールバー９２が据え置かれるように支持台１３に装着される。
【００３７】
支え部１４は、ロール状に巻かれたベルト９１の外周部が回転部２０と接触するようにロールバー９２と回転部２０との間隔を調節する。すなわち、支え部１４は、支持台１３に昇降可能に装着され、ロールバー９２の高さを調節する。したがって、ベルト９１が巻出されるに伴って、支え部１４の高さが低くなり、支え部１４に支持されるロールバー９２の高さも支え部１４に連動して下降する。
【００３８】
図４は、本発明の一実施形態に係るベルト交換装置における回転部を概略的に示す図である。図１〜図４を参照すれば、図１と図３を参照すれば、本発明の一実施形態に係る回転部２０は、第１回転ローラ部２１と、第２回転ローラ部２２と、回転動力部２３とを含む。
【００３９】
第１回転ローラ部２１と第２回転ローラ部２２は、ロール状に巻かれたベルト９１と接触して回転し、回転動力部２３は、第１回転ローラ部２１または第２回転ローラ部２２のいずれか１つに連結され、第１回転ローラ部２１または第２回転ローラ部２２のいずれか１つを回転させる。第１回転ローラ部２１または第２回転ローラ部２２のいずれか１つが回転してロール状に巻かれたベルト９１が回転すると、ロール状に巻かれたベルト９１を支持する第１回転ローラ部２１または第２回転ローラ部２２の他の１つが回転する。
【００４０】
回転部２０は、回転伝達部２４をさらに含むことができる。回転伝達部２４は、第１回転ローラ部２１と第２回転ローラ部２２とを連結して回転力を伝達する。
【００４１】
第１回転ローラ部２１は、ベース部１０に回転可能に装着され、ロール状に巻かれたベルト９１と接触する。本実施形態において、第１回転ローラ部２１は、第１回転支持台２１１と、第１回転ローラ２１２と、第１回転スプロケット２１３とを含む。第１回転支持台２１１は、ベースフレーム１１１に一対が向かい合うように装着され、第１回転ローラ２１２は、両端部が第１回転支持台２１１に回転可能に装着される。第１回転ローラ２１２は、ロール状に巻かれたベルト９１の下部に位置してロール状に巻かれたベルト９１と接触する。第１回転スプロケット２１３は、第１回転ローラ２１２の両端部にそれぞれ形成される。
【００４２】
第２回転ローラ部２２は、ベース部１０に回転可能に装着され、ロール状に巻かれたベルト９１と接触する。第２回転ローラ部２２は、第１回転ローラ部２１と離隔して配置される。本実施形態において、第２回転ローラ部２２は、第２回転支持台２２１と、第２回転ローラ２２２と、第２回転スプロケット２２３とを含む。第２回転支持台２２１は、ベースフレーム１１１に一対が向かい合うように装着され、第２回転ローラ２２２は、両端部が第２回転支持台２２１に回転可能に装着される。第２回転ローラ２２２は、ロール状に巻かれるベルト９１の下部に位置してロール状に巻かれたベルト９１と接触し、第２回転スプロケット２２３は、第２回転ローラ２２２の他端部に形成される。
【００４３】
回転動力部２３は、ベース部１０に装着され、第１回転ローラ部２１に連結され、回転力を提供する。本実施形態において、回転動力部２３としては、ベースフレーム１１１に結合されるモータを用い、モータと第１回転ローラ２１２の一端部に形成される第１回転スプロケット２１３には駆動チェーン２３１が巻かれる。したがって、モータが回転すると、駆動チェーン２３１が無限軌道方式で移動し、第１回転スプロケット２１３に連結された第１回転ローラ２１２が回転する。
【００４４】
回転伝達部２４は、第１回転ローラ部２１と第２回転ローラ部２２とを連結し、第１回転ローラ部２１の回転力を第２回転ローラ部２２に伝達する。本実施形態において、回転伝達部２４は、第１回転ローラ２１２の他端部に形成される第１回転スプロケット２１３と、第２回転ローラ２２２の他端部に形成される第２回転スプロケット２２３とに巻かれるチェーン形状をする。
【００４５】
第１回転ローラ２１２が回転動力部２３によって回転すると、回転伝達部２４によって第２回転ローラ２２２が第１回転ローラ２１２と同一方向に回転する。そして、第１回転ローラ２１２および第２回転ローラ２２２に接触するロール状に巻かれたベルト９１は、第１回転ローラ２１２と反対方向に回転してベルト９１が巻戻される。
【００４６】
したがって、回転動力部２３の１つの動力源を用いても、回転伝達部２４を介して第１回転ローラ部２１と第２回転ローラ部２２を同時に駆動させることができる。これによって、第１回転ローラ部２１と第２回転ローラ部２２は、同一の回転速度を有し、ロール状に巻かれたベルト９１の安定した回転が可能である。
【００４７】
図５は、本発明の一実施形態に係るベルト交換装置における移動部を概略的に示す図である。図１、図３、図５を参照すれば、本発明の一実施形態に係る移動部３０は、下移動ローラ部３１と、押下調節部３２と、上移動ローラ部３３と、移動動力部３４とを含む。
【００４８】
下移動ローラ部３１は、ベース部１０に回転可能に装着される。本実施形態において、下移動ローラ部３１は、垂直フレーム１１２の下部内側に固定される下支持台１１５に回転可能に装着される（図３参照）。
【００４９】
押下調節部３２は、ベース部１０に装着され、上下移動する。本実施形態において、押下調節部３２は、押下支持台３２１と、押下貫通台３２２と、押下固定台３２３と、押下回転台３２４と、押下ハンドル３２５とを含む。
【００５０】
押下支持台３２１は、垂直フレーム１１２の内側面に沿って上下移動する。このために、押下支持台３２１の両側端部に形成される突起が垂直フレーム１１２の案内ホール部１１３に挿入される。押下貫通台３２２は、押下支持台３２１の上端部に結合され、垂直フレーム１１２の上端部に形成される貫通ホール部１１４を貫通する。押下固定台３２３は、垂直フレーム１１２を貫通する押下貫通台３２２の上端部に結合され、垂直フレーム１１２の上方に配置される。押下回転台３２４は、垂直フレーム１１２の上端部に回転可能に結合され、押下固定台３２３を支持する。押下回転台３２４は、原板の一部が切開され、直径の相異なるカム形状をする。押下ハンドル３２５は、押下回転台３２４に連結され、押下回転台３２４に回転力を提供する。したがって、押下ハンドル３２５が回転すると、押下回転台３２４の直径差によって押下回転台３２４が支持する押下固定台３２３の高さが調節される。押下固定台３２３の高さの変化に伴って、押下固定台３２３に連結された状態を維持する押下支持台３２１は、垂直フレーム１１２の内部で上下移動する。
【００５１】
上移動ローラ部３３は、押下調節部３２に回転可能に装着され、下移動ローラ部３１の上方に配置される。上移動ローラ部３３は、押下調節部３２の上下移動によって下移動ローラ部３１との間隔が調節される。
【００５２】
移動動力部３４は、ベース部１０に装着され、下移動ローラ部３１に連結され、回転力を提供する。本実施形態において、移動動力部３４は、垂直フレーム１１２の下端部に固定設置されるモータ３４１と、下移動ローラ部３１の一端部とモータ３４１とに巻かれて無限軌道移動するモータチェーン３４２とを含む。
【００５３】
したがって、作業者は、下移動ローラ部３１と上移動ローラ部３３との間にベルト９１を投入し、押下調節部３２を操作して、上移動ローラ部３３を下方移動させる。上移動ローラ部３３が下方移動すると、下移動ローラ部３１および上移動ローラ部３３はベルト９１と接触する。前記状態で、移動動力部３４のモータ３４１が駆動されると、モータチェーン３４２によって下移動ローラ部３１が回転する。この時、上移動ローラ部３３は、ベルト９１との摩擦または下移動ローラ部３１とのギヤ噛合によって下移動ローラ部３１と反対方向に回転する。下移動ローラ部３１および上移動ローラ部３３に噛合するベルト９１は、図５を基準として右側に排出される。
【００５４】
図６は、本発明の一実施形態に係る案内部を概略的に示す図である。図１と図６を参照すれば、本発明の一実施形態に係る案内部４０は、案内フレーム部４１と、案内ローラ部４２と、案内支持部４３とを含む。
【００５５】
案内フレーム部４１は、移動部３０の後方に配置される。本実施形態において、案内フレーム部４１の一端部は、ベース部１０に回転可能に装着される。案内フレーム部４１は、一対が向かい合うように配置され、一端部が垂直フレーム１１２にヒンジ結合される。
【００５６】
案内ローラ部４２は、案内フレーム部４１に装着され、移動部３０から排出されるベルト９１と接触して回転する。本実施形態において、案内ローラ部４２は、一対の案内フレーム部４１の間に配置され、両端部が各案内フレーム部４１に回転可能に装着される。
【００５７】
案内支持部４３は、案内フレーム部４１を支持する。案内支持部４３は、それ自体の長さが可変して、案内フレーム部４１の高さを調節する。本実施形態において、案内支持部４３は、油圧によって長さが調節される油圧シリンダを含む。案内支持部４３は、地面のような固定物に底面が固定されるが、上端部が案内フレーム部４１に回転可能に装着される。この時、案内フレーム部４１には長方形ホール部４１１が形成され、案内支持部４３の上端部は、長方形ホール部４１１に沿って移動できる。したがって、案内支持部４３の高さの差によって案内フレーム部４１の角度が調節される。
【００５８】
図７は、本発明の一実施形態に係るベルト交換装置における積載部を概略的に示す図であり、図８は、本発明の一実施形態に係るベルト交換装置における積載部にベルトが積載される状態を概略的に示す図である。図１、図７、図８を参照すれば、本発明の一実施形態に係る積載部５０は、積載フレーム部５１と、積載ガイド部５２とを含む。
【００５９】
積載フレーム部５１は、ベルト９１の積載高さに対応して高さが調節される。積載フレーム部５１は、案内部３０から落下するベルト９１が積載される空間を形成する。本実施形態において、積載フレーム部５１は、下部フレーム５１１と、柱フレーム５１２と、挿入フレーム５１３と、上部フレーム５１４と、フレーム調節体５１５とを含む。
【００６０】
下部フレーム５１１は、地面やベルトコンベヤのような固定物に載置され、重ねられたベルト９１の長さよりも長く形成される四角帯形状をして、重ねられたベルト９１を収容する。下部フレーム５１１を連結する複数の補強フレーム５１６は、下部フレーム５１１の剛性を増大させる。
【００６１】
柱フレーム５１２は、下部フレーム５１１の上側面に結合されて上方に突出する。柱フレーム５１２は、複数個が離隔して配置され、内部が中空の管形状をする。
【００６２】
挿入フレーム５１３は、各柱フレーム５１２に挿入され、上部フレーム５１４は、挿入フレーム５１３の上端部に結合される。複数からなるフレーム調節体５１５は、下部フレーム５１１に均一に装着され、上端部が上部フレーム５１４に結合される。フレーム調節体５１５の長さが可変すると、フレーム調節体５１５に結合された上部フレーム５１４の高さが調節される。
【００６３】
積載ガイド部５２は、ベルト９１の落下地点を調節して、ベルト９１が重ねられて積載されるように誘導する。積載ガイド部５２は、積載フレーム部５１に沿って往復移動する。本実施形態において、積載ガイド部５２は、積載回転体５２１と、積載チェーン５２２と、積載モータ５２３と、ガイドバー５２４と、ガイドローラ５２５と、ガイド突起５２６とを含む。
【００６４】
積載回転体５２１は、互いに向かい合う上部フレーム５１４の外側にそれぞれ回転可能に装着される。積載回転体５２１は、一対が離隔して配置され、上部フレーム５１４に形成される移動ホール部５１８は、一対の積載回転体５２１の間に位置する。積載チェーン５２２は、一対の積載回転体５２１に巻かれて無限軌道移動し、積載モータ５２３は、積載回転体５２１のいずれか１つに連結され、積載回転体５２１を回転させる。このような積載モータ５２３は、上部フレーム５１４に固定設置される。ガイドバー５２４は、互いに向かい合う上部フレーム５１４の間に配置される。ガイドバー５２４は、一対が離隔して互いに向かい合い、ガイドローラ５２５の両端部は、ガイドバー５２４に回転可能に装着される。この時、ガイドローラ５２５は、ガイドバー５２４の長さ方向に一対が離隔して配置され、ベルト９１は、ガイドローラ５５の間を通過する。ガイド突起５２６は、ガイドバー５２４にそれぞれ結合されて外側に突出する。ガイド突起５２６は、移動ホール部５１８を貫通し、積載チェーン５２２と結合される。したがって、積載モータ５２３が回転すると、積載回転体５２１が回転して積載チェーン５２２が移動し、積載チェーン５２２に連結されたガイド突起５２６が移動ホール部５１８に沿って移動する。ガイド突起５２６が移動すると、これに連結されたガイドローラ５２５が上部フレーム５１４の長さ方向に移動する。ガイドローラ５２５が往復移動するに伴って、ベルト９１は重ねられて積載される。
【００６５】
以下、このような構造を有する本発明の一実施形態に係るベルト交換装置の作用と効果を説明する。
【００６６】
ロール状に巻かれたベルト９１の中央部を貫通するロールバー９２がベース部１０の支持フレーム部１２に載置されると、第１回転ローラ部２１と第２回転ローラ部２２がロール状に巻かれたベルト９１の底面を支持する。
【００６７】
前記状態で、回転動力部２３を一定時間駆動させて第１回転ローラ部２１を回転させ、作業者がベルト９１を移動部３０の下移動ローラ部３１と上移動ローラ部３３との間に投入する。
【００６８】
ベルト９１が下移動ローラ部３１と上移動ローラ部３３との間に投入されると、作業者が押下ハンドル３２５を回転させて押下支持台３２１を下方移動させる。
【００６９】
押下支持台３２１が下方移動すると、上移動ローラ部３３が下方移動し、ベルト９１は下移動ローラ部３１および上移動ローラ部３３に接触する。
【００７０】
ベルト９１が下移動ローラ部３１および上移動ローラ部３３に接触すると、回転動力部２３と移動動力部３４が駆動され、ベルト９１は案内部４０を通過する。
【００７１】
この時、案内支持部４３が案内フレーム部４１の高さを調節し、案内フレーム部４１に装着された案内ローラ部４２がベルト９１と接触しながら回転してベルト９１を案内する。
【００７２】
ベルト９１は、案内部４０の端部から落下してガイドローラ５２５の間を通過し、積載ガイド部５２によって落下地点が調節され、積載フレーム部５１の内部に重ねられる。
【００７３】
すなわち、積載モータ５２３が駆動されて積載チェーン５２２が往復移動すると、積載チェーン５２２に連結された状態を維持するガイドローラ５２５が積載フレーム部５１の長さ方向に往復移動しながら、ベルト９１の落下地点を調節する。ガイドローラ５２５の往復移動によって、ベルト９１は積載フレーム部５１の内部で重ねられる。
【００７４】
仮に、重ねられるベルト９１の高さが上部フレーム５１４の高さに対応して上昇する場合、ベルト９１が積載部５０から外れないようにフレーム調節体５１５が駆動される。すなわち、フレーム調節体５１５の長さが変化すると、上部フレーム５１４の高さが調節され、重ねられたベルト９１より高く位置する。
【００７５】
一方、積載部５０に所望の長さのベルト９１が累積されると、回転動力部２３と移動動力部３４と積載モータ５２３とを停止し、ベルト９１を切断した後、重ねられたベルト９１をベルトコンベヤの取替に用いる。
【００７６】
本発明は、図面に示された実施形態を参照して説明されたが、これは例示的なものに過ぎず、当該技術の属する分野における通常の知識を有する者であれば、これから多様な変形および均等な他の実施形態が可能である点を理解するであろう。したがって、本発明の真の技術的保護範囲は、以下の特許請求の範囲によって定められなければならない。
【図１】
0006396437.tif 000002
【図２】
0006396437.tif 000003
【図３】
0006396437.tif 000004
【図４】
0006396437.tif 000005
【図５】
0006396437.tif 000006
【図６】
0006396437.tif 000007
【図７】
0006396437.tif 000008
【図８】
0006396437.tif 000009